【手続補正書】
【提出日】令和2年9月2日(2020.9.2)
【手続補正１】
【補正対象書類名】特許請求の範囲
【補正対象項目名】全文
【補正方法】変更
【補正の内容】
【特許請求の範囲】
【請求項１】
以下のモノマー：
（ａ）（メタ）アクリル酸とヒドロキシル化水素化ポリブタジエンとのエステル１０〜２０重量％、
（ｂ）メチルメタクリレート０〜１重量％、
（ｃ）ｎ−ブチルメタクリレート６０〜７５重量％、
（ｄ）Ｃ１０〜１５アルキルメタクリレート、好ましくはＣ１２〜１４アルキルメタクリレート１０〜２０重量％、
（ｅ）スチレンモノマー０〜１重量％、および
（ｆ）アミノアルキル（メタ）アクリレート、アミノアルキル（メタ）アクリルアミドおよびその混合物からなる群から選択される窒素含有（メタ）アクリレート０．５〜３重量％
からなる、ポリアルキル（メタ）アクリレート系櫛形ポリマー。
【請求項２】
以下のモノマー：
（ａ）（メタ）アクリル酸とヒドロキシル化水素化ポリブタジエンとのエステル１４〜１６重量％、
（ｂ）メチルメタクリレート０〜１重量％、
（ｃ）ｎ−ブチルメタクリレート６５〜７０重量％、
（ｄ）Ｃ１０〜１５アルキルメタクリレート、好ましくはＣ１２〜１４アルキルメタクリレート１４〜１７重量％、
（ｅ）スチレンモノマー０〜１重量％、および
（ｆ）Ｎ，Ｎ−ジメチルアミノエチルメタクリレートおよびＮ，Ｎ−ジメチルアミノプロピルメタクリルアミドからなる群から選択される窒素含有（メタ）アクリレート０．５〜３重量％
からなる、請求項１記載のポリアルキル（メタ）アクリレート系櫛形ポリマー。
【請求項３】
２００，０００〜５００，０００ｇ／モルの範囲の、好ましくは３００，０００〜４００，０００ｇ／モルの範囲の重量平均分子量Ｍｗを有することを特徴とする、請求項１または２記載のポリアルキル（メタ）アクリレート系櫛形コポリマー。
【請求項４】
前記成分（ａ）のヒドロキシル化水素化ポリブタジエンは、４，０００〜６，０００ｇ／モルの範囲の、好ましくは４，０００〜５，０００ｇ／モルの範囲の数平均分子量Ｍｎを有することを特徴とする、請求項１から３までのいずれか１項記載のポリアルキル（メタ）アクリレート系櫛形コポリマー。
【請求項５】
前記窒素含有（メタ）アクリレートは、Ｎ，Ｎ−ジメチルアミノエチルメタクリレート、Ｎ，Ｎ−ジメチルアミノプロピルメタクリルアミドおよびその混合物からなる群から選択されることを特徴とする、請求項１から４までのいずれか１項記載のポリアルキル（メタ）アクリレート系櫛形コポリマー。
【請求項６】
以下：
（Ａ）基油６０〜８０重量％と、
（Ｂ）以下のモノマー：
（ａ）（メタ）アクリル酸とヒドロキシル化水素化ポリブタジエンとのエステル１０〜２０重量％、
（ｂ）メチルメタクリレート０〜１重量％、
（ｃ）ｎ−ブチルメタクリレート６０〜７５重量％、
（ｄ）Ｃ１０〜１５アルキルメタクリレート、好ましくはＣ１２〜１４アルキルメタクリレート１０〜２０重量％、
（ｅ）スチレンモノマー０〜１重量％、および
（ｆ）アミノアルキル（メタ）アクリレート、アミノアルキル（メタ）アクリルアミドおよびその混合物からなる群から選択される窒素含有（メタ）アクリレート０．５〜３重量％
からなるポリアルキル（メタ）アクリレート系櫛形コポリマー２０〜４０重量％と
を含む、添加剤組成物。
【請求項７】
前記ポリアルキル（メタ）アクリレート系櫛形コポリマーは、以下のモノマー：
（ａ）（メタ）アクリル酸とヒドロキシル化水素化ポリブタジエンとのエステル１４〜１６重量％、
（ｂ）メチルメタクリレート０〜１重量％、
（ｃ）ｎ−ブチルメタクリレート６５〜７０重量％、
（ｄ）Ｃ１０〜１５アルキルメタクリレート、好ましくはＣ１２〜１４アルキルメタクリレート１４〜１７重量％、
（ｅ）スチレンモノマー０〜１重量％、および
（ｆ）Ｎ，Ｎ−ジメチルアミノエチルメタクリレートおよびＮ，Ｎ−ジメチルアミノプロピルメタクリルアミドからなる群から選択される窒素含有（メタ）アクリレート０．５〜３重量％
からなる、請求項６記載の添加剤組成物。
【請求項８】
前記基油は、ＡＰＩグループＩ、ＩＩ、ＩＩＩ、ＩＶ、Ｖの油およびその混合物からなる群から選択される、請求項６または７記載の添加剤組成物。
【請求項９】
成分（Ａ）は、７０〜７５重量％の量で存在し、成分（Ｂ）は、２５〜３０重量％の量で存在する、請求項６から８までのいずれか１項記載の添加剤組成物。
【請求項１０】
以下：
（Ａ）基油８５〜９９重量％と、
（Ｂ）以下のモノマー：
（ａ）（メタ）アクリル酸とヒドロキシル化水素化ポリブタジエンとのエステル１０〜２０重量％、
（ｂ）メチルメタクリレート０〜１重量％、
（ｃ）ｎ−ブチルメタクリレート６０〜７５重量％、
（ｄ）Ｃ１０〜１５アルキルメタクリレート、好ましくはＣ１２〜１４アルキルメタクリレート１０〜２０重量％、
（ｅ）スチレンモノマー０〜１重量％、および
（ｆ）アミノアルキル（メタ）アクリレート、アミノアルキル（メタ）アクリルアミドおよびその混合物からなる群から選択される窒素含有（メタ）アクリレート０．５〜３重量％
からなるポリアルキル（メタ）アクリレート系櫛形ポリマー０．５〜１０重量％と、
（Ｃ）モリブデン０．０５〜０．５重量％を提供する、モリブデン含有摩擦調整剤０．５〜５重量％と、
（Ｄ）場合により１種以上のさらなる添加剤と
を含む、潤滑油組成物。
【請求項１１】
前記潤滑油組成物の全重量を基準として、成分（Ａ）は８８〜９８．５重量％の量で存在し、成分（Ｂ）は０．５〜１０重量％の量で存在し、成分（Ｃ）は１〜２重量％の量で存在し、前記成分（Ｃ）はモリブデン０．１〜０．２重量％を提供することを特徴とする、請求項１０記載の潤滑油組成物。
【請求項１２】
前記基油は、ＡＰＩグループＩＩＩの油およびその混合物からなる群から選択されることを特徴とする、請求項１０または１１記載の潤滑油組成物。
【請求項１３】
摩擦係数は０．１以下であり、好ましくは０．０５〜０．１であることを特徴とする、請求項１０から１２までのいずれか１項記載の潤滑油組成物。
【請求項１４】
潤滑油組成物におけるモリブデンの可溶化剤としての、特にモリブデンジチオカルバメート（ＭｏＤＴＣ）由来のモリブデンの可溶化剤としての、請求項１から５までのいずれか１項記載のポリアルキル（メタ）アクリレート系櫛形ポリマーの使用。
【請求項１５】
０．０５〜０．５重量％、好ましくは０．０５〜０．２重量％、より好ましくは０．１〜０．２重量％のモリブデンを溶解させ得ることを特徴とする、請求項１４記載の使用。
【手続補正２】
【補正対象書類名】明細書
【補正対象項目名】００６５
【補正方法】変更
【補正の内容】
【００６５】
したがって、本発明によるポリアルキル（メタ）アクリレート系櫛形ポリマーを使用することによって、潤滑油組成物の全重量に対して、０．５〜５重量％、好ましくは０．５〜２重量％、特に好ましくは１〜２重量％のモリブデンジチオカルバメートを溶解させることができ、これによって、潤滑油組成物に対してモリブデンは０．０５〜０．５重量％、好ましくは０．０５〜０．２重量％、より好ましくは０．１〜０．２重量％となる。
【手続補正３】
【補正対象書類名】明細書
【補正対象項目名】００９７
【補正方法】変更
【補正の内容】
【００９７】
モリブデン含有摩擦調整剤は、潤滑油組成物の全重量を基準として０．５〜５重量％、好ましくは０．５〜２重量％、より好ましくは１〜２重量％の範囲で存在してよく、モリブデンを、０．０５〜０．５重量％、好ましくは０．０５〜０．２重量％、より好ましくは０．１〜０．２重量％提供する。